(57)【要約】【課題】複数の基板から任意の基板のみを容易に着脱することができる基板の取り付け構造の提供を目的とする。【解決手段】複数の基板である第１入出力処理用基板１４、第２入出力処理用基板１５および第３入出力処理用基板１６が積層するように配置されるとともに、第１入出力処理用基板１４、第２入出力処理用基板１５および第３入出力処理用基板１６が積層方向の一側から締結部材である第１ネジ２１ａ、第２ネジ２１ｂおよび第３ネジ２１ｃによって支持部材１７にそれぞれ固定される基板の取り付け構造であって、第１入出力処理用基板１４、第２入出力処理用基板１５および第３入出力処理用基板１６のうち積層方向の一側から数えて二枚目以降の第２入出力処理用基板１５および第３入出力処理用基板１６を固定する全ての第２ネジ２１ｂおよび第３ネジ２１ｃが、積層方向の一側である操作パネル４側からから見えるように配置される。【選択図】図４
2015170777.tif 000002
【特許請求の範囲】
【請求項１】
複数の基板が積層するように配置されるとともに、前記各基板が積層方向の一側から締結部材によって支持部材にそれぞれ固定される基板の取り付け構造であって、
前記基板のうち前記積層方向の一側から数えて二枚目以降の前記基板を固定する全ての前記締結部材が、前記積層方向の一側からから見えるように配置される基板の取り付け構造。
【請求項２】
前記基板から前記基板の積層方向に対して垂直な方向に突出する取り付け部が構成され、前記基板が前記取り付け部を介して支持部材に固定される請求項１に記載の基板の取り付け構造。
【請求項３】
前記取り付け部が前記基板と別体に形成され、前記基板に固定される請求項２に記載の基板の取り付け構造。
【請求項４】
前記取り付け部が前記基板と一体に形成される請求項２に記載の基板の取り付け構造。
【発明の詳細な説明】
【技術分野】
【０００１】
本発明は基板の取り付け構造に関する。
【背景技術】
【０００２】
従来、ミキサー装置（音響調節装置）等の電子機器は、所定の機能を発揮するために様々な処理を行う各種制御装置が設けられている。制御装置は、印刷等によって形成された回路に電子部品が実装された基板から構成され、電子機器の筐体内に取り付けられている。このような電子機器等において、制御装置が複数の基板から構成されている場合、基板を積層して配置することで制御装置が電子機器の筐体内で占有する空間を小さくする回路基板の保持構造が知られている。例えば、特許文献１に記載の如くである。
【０００３】
特許文献１に記載の回路基板の保持構造は、切り欠きが形成された基板と、凹部が形成された棒状の保持具とから構成されている。基板は、その切り欠きが保持具の凹部にはめ込まれることで保持具に固定される。保持具には、所定の間隔で複数の凹部が形成されているため、各凹部に基板をはめ込むことで複数の基板を保持することができる。しかし、特許文献１に記載の技術は、各基板の切り欠きが保持具の各凹部にはめ込まれているため、任意の基板のみを保持具から着脱することができない。つまり、任意の基板のみを着脱するためには、その基板を含む複数の基板を保持している保持具を取り外さなければならず、基板の交換作業等が煩雑になる問題があった。
【先行技術文献】
【特許文献】
【０００４】
【特許文献１】特開２０００−３３２４６６号公報
【発明の概要】
【発明が解決しようとする課題】
【０００５】
本発明は以上の如き状況に鑑みてなされたものであり、複数の基板から任意の基板のみを容易に着脱することができる基板の取り付け構造の提供を目的とする。
【課題を解決するための手段】
【０００６】
即ち、本発明においては、複数の基板が積層するように配置されるとともに、前記各基板が積層方向の一側から締結部材によって支持部材にそれぞれ固定される基板の取り付け構造であって、前記基板のうち前記積層方向の一側から数えて二枚目以降の前記基板を固定する全ての前記締結部材が、前記積層方向の一側からから見えるように配置されるものである。
【０００７】
本発明においては、前記基板から前記基板の積層方向に対して垂直な方向に突出する取り付け部が構成され、前記基板が前記取り付け部を介して支持部材に固定されるものである。
【０００８】
本発明においては、前記取り付け部が前記基板と別体に形成され、前記基板に固定されるものである。
【０００９】
本発明においては、前記取り付け部が前記基板と一体に形成されるものである。
【発明の効果】
【００１０】
本発明によれば、積層するようにして基板が配置されていても締結部材が他の基板によって隠されることがない。これにより、積層して固定された複数の基板のうち任意の基板のみを容易に着脱することができる。
【図面の簡単な説明】
【００１１】
【図１】本発明に係る基板の取り付け構造が適用されたミキサー装置を示した斜視図。
【図２】本発明に係る基板の取り付け構造が適用されたミキサー装置の内部構造を示した斜視図。
【図３】本発明に係る基板の取り付け構造が適用されたミキサー装置の入出力部を示した背面図。
【図４】本発明に係る基板の取り付け構造の第一実施形態を示す斜視図。
【図５】（ａ）本発明に係る基板の取り付け構造の第一実施形態において底面側から数えて一番目の基板の部分拡大上面図（ｂ）本発明に係る基板の取り付け構造の第一実施形態において底面側から数えて二番目の基板の部分拡大上面図（ｃ）本発明に係る基板の取り付け構造の第一実施形態において底面側から数えて三番目の基板の部分拡大上面図。
【図６】本発明に係る基板の取り付け構造の第一実施形態を示す上面図。
【図７】本発明に係る基板の取り付け構造の第一実施形態における部分拡大正面図。
【図８】（ａ）本発明に係る基板の取り付け構造の第一実施形態における一側の部分拡大側面図（ｂ）本発明に係る基板の取り付け構造の第一実施形態における他側の部分拡大側面図。
【図９】本発明に係る基板の取り付け構造の第一実施形態における基板の一方の短辺側端部の取り付けの態様を示す斜視図。
【図１０】本発明に係る基板の取り付け構造の第一実施形態における基板の他方の短辺側端部の取り付けの態様を示す斜視図。
【図１１】（ａ）本発明に係る基板の取り付け構造の第二実施形態における基板の他方の短辺側端部の取り付けの態様を示す拡大斜視図（ｂ）本発明に係る基板の取り付け構造の第二実施形態における部分拡大上面図。
【図１２】（ａ）本発明に係る基板の取り付け構造の第三実施形態における基板の他方の短辺側端部の取り付けの態様を示す拡大斜視図（ｂ）本発明に係る基板の取り付け構造の第三実施形態における部分拡大上面図。
【図１３】（ａ）本発明に係る基板の取り付け構造の第四実施形態における基板の他方の短辺側端部の取り付けの態様を示す拡大斜視図（ｂ）本発明に係る基板の取り付け構造の第四実施形態における部分拡大上面図。
【図１４】本発明に係る基板の取り付け構造の他の実施形態における部分拡大正面図。
【図１５】本発明に係る基板の取り付け構造において他側を支持部材に締結しない態様での実施形態における部分拡大正面図。
【発明を実施するための形態】
【００１２】
＜第一実施形態＞
以下に、図１から図４を用いて、本発明の一実施形態に係る基板の取り付け構造が適用された電子機器であるミキサー装置１（音響調節装置）について説明する。なお、ミキサー装置１について、図１から図４に示した主な構成について説明する。
図１に示すように、ミキサー装置１は、音響信号の合成やレベル調整を行うものである。ミキサー装置１は、上面、底面、正面、背面および両側面を有する筐体２に操作部３、入出力部７が設けられている。ミキサー装置１の上面は、途中部から背面側にかけて上方にせり上がる傾斜面に形成されている。つまり、ミキサー装置１は、正面側（操作者からみて手前側）の筐体２の高さよりも背面側（操作者からみて奥側）の筐体２の高さが大きく構成されている。ミキサー装置１の側面および底面は、金属製の側面パネル６と底面パネル１１（図３参照）によって覆われている。
【００１３】
操作部３は、ミキサー装置１の上面に設けられている。操作部３は、操作パネル４に音響信号の入り切りやそのレベルを調整する複数の操作子５等が設けられて構成されている。操作パネル４は、筐体２の上面を覆うように構成されている。操作パネル４は、正面側に底面パネル１１と略平行な平面が形成され、途中部から背面側にかけて上方にせり上がる傾斜面が形成されている。操作部３の操作子５は、操作パネル４の平面と傾斜面とに設けられている。操作子５は、フェーダ操作子５ａ、ロータリーボリューム５ｂおよび表示装置５ｃ等から構成されている。操作子５は、入出力チャンネル毎にそれぞれ設けられている。操作部３の音響信号の状態や操作の状態を示す表示装置５ｃは、操作パネル４の傾斜面に設けられている。
【００１４】
図２に示すように、入出力部７は、ミキサー装置１の背面に設けられている。入出力部７は、音響信号が伝達されるケーブル等が接続される複数の信号用端子９が設けられている。また、入出力部７は、機能を拡張するために必要な拡張基板を装着するための拡張基板装着口１０ａ、筐体２の内部を冷却するための送風ファン１０ｂ、主電源スイッチ１０ｃ、電源ケーブルが接続される電源用端子１０ｄおよびこれらが設けられる背面パネル８等から構成されている。
【００１５】
信号用端子９は、筐体２の一側側面から他側側面に向かって一列に並べられた複数の信号用端子９から構成される端子列が底面側から上面側に並ぶように背面パネル８に設けられている。具体的には、信号端子は、八個の端子からなる第１端子列９ａ、第２端子列９ｂおよび第３端子列９ｃが互いに平行になるように並んで筐体２の背面パネル８の他側端部に設けられている。拡張基板装着口１０ａは、背面パネル８に形成されている略矩形状の開口部から構成されている。拡張基板装着口１０ａは、拡張基板または蓋によって覆われている。具体的には、拡張基板装着口１０ａは、第１端子列９ａ、第２端子列９ｂおよび第３端子列９ｃの一側に設けられ、二個の拡張基板が装着可能に構成されている。送風ファン１０ｂは、筐体２の内部で発生した熱を筐体２の外部に排出する電動ファンから構成されている。具体的には、送風ファン１０ｂは、３個の電動ファンが拡張基板装着口１０ａの一側に設けられている。主電源スイッチ１０ｃおよび電源ケーブルは、一の送風ファン１０ｂの近傍に設けられている。
【００１６】
図３に示すように、ミキサー装置１の内部は、底面パネル１１と背面パネル８とを連結するように配置されている仕切り部材１２によって複数の区画に区切られている。仕切り部材１２には、開口部が形成されて、仕切り部材１２を跨いで配線可能に構成されている。各区画の底面パネル１１には、所定の処理を行うための複数の基板１１ａや電子部品が設けられている。一側端の区画には、入出力部７の信号用端子９が取り付けられている複数の入出力処理用基板１３、拡張基板用ラック１１ｂ等が設けられている。
このように構成されるミキサー装置１は、入出力部７から入力された音響信号を操作部３の操作子５であるフェーダ操作子５ａ、スイッチ類およびロータリーボリューム５ｂ等の操作に基づいて処理した後に入出力部７から出力する。
【００１７】
以下では、図３と図４とを用いて本発明の第一実施形態に係る基板の取り付け構造が適用されている入出力処理用基板１３について説明する。
図３と図４に示すように、入出力処理用基板１３は、入出力部７の信号用端子９から入出力される信号の処理を行う基板である。入出力処理用基板１３は、略長方形状に形成された回路基板に信号を処理するための図示しない電子部品が取り付けられて構成されている。また、入出力処理用基板１３には、一方の短辺側端に複数（本実施形態において八個）の信号用端子９が一列に並ぶように設けられている。複数の信号用端子９は、ケーブルの挿入口を回路基板の反対側に向けて入出力処理用基板１３に設けられている。このようにして、一枚の入出力処理用基板１３には、一列の信号用端子９の端子列（第１端子列９ａ、第２端子列９ｂまたは第３端子列９ｃ）が構成されている。
【００１８】
ミキサー装置１には、信号用端子９の数に応じて、複数の入出力処理用基板１３が設けられている。具体的には、ミキサー装置１には、第１入出力処理用基板１４、第２入出力処理用基板１５および第３入出力処理用基板１６（以下、単に「入出力処理用基板１３」と記す）が設けられている。各入出力処理用基板１３は、同一または異なる機能を有し、略同一形状の基板から構成されている。
【００１９】
ミキサー装置１は、三枚の入出力処理用基板１３が筐体２の底面を構成している底面パネル１１側から筐体２の上面を構成している操作パネル４側に向かって（底面パネルから離間する方向に）積層するようにして配置されている。各入出力処理用基板１３は、各信号用端子９が背面パネル８に形成された端子用孔８ａにそれぞれ挿入されている（図９参照）。つまり、ミキサー装置１は、三枚の入出力処理用基板１３が底面パネル１１側から操作パネル４側に向かって積層するようにして配置されることで、入出力部７を構成している背面パネル８に八個の信号用端子９からなる第１端子列９ａ、第２端子列９ｂおよび第３端子列９ｃが底面パネル１１側から操作パネル４側（積層方向の一側）に向かって設けられている。このように、三枚の入出力処理用基板１３を積層するように配置することで入出力処理用基板１３がミキサー装置１の筐体２の内部において占有する空間を小さくすることができる。
【００２０】
次に図４から図８を用いて、本発明の第一実施形態に係る基板の取り付け構造が適用されている入出力処理用基板１３の構成および基板の取り付け構造を説明する。図４に示すように、各入出力処理用基板１３は、一方の短辺側端部が背面パネル８に取り付けられ、他方の短辺側端部が底面パネル１１に設けられている支持部材１７に取り付けられるように構成されている。具体的には、各入出力処理用基板１３の一方の短辺側端部は、信号用端子９を介してそれぞれ背面パネル８に取り付けられている。各入出力処理用基板１３の他方の短辺側端部は、取り付け部である第１ブラケット１８、第２ブラケット１９または第３ブラケット２０を介してそれぞれ支持部材１７に取り付けられている。
【００２１】
具体的な基板の取り付け構造として、各入出力処理用基板１３は、各信号用端子９における背面パネル８と対向する面に複数のネジ孔９ｄが形成されている（図９参照）。また、図５に示すように、第１入出力処理用基板１４には、他方の短辺側端部であっての両方の長辺近傍に、長辺に沿うようにして信号用端子９側から順にブラケット取り付け孔１４ａ・１４ｂ・１４ｃが形成されている。同様にして、第２入出力処理用基板１５には、ブラケット取り付け孔１５ａ・１５ｂ・１５ｃが形成され、第３入出力処理用基板１６には、ブラケット取り付け孔１６ａ・１６ｂ・１６ｃが形成されている。
【００２２】
図５（ａ）に示すように、第１入出力処理用基板１４の他方の短辺側端部には、第１入出力処理用基板１４の板面に沿って両方の長辺から突出するように板状の第１ブラケット１８がそれぞれ設けられている。第１入出力処理用基板１４の一側には、ブラケット取り付け孔１４ａを用いて第１ブラケット１８が固定されている。第１入出力処理用基板１４の他側には、ブラケット取り付け孔１４ｃを用いて第１ブラケット１８が固定されている。各第１ブラケット１８には第１取り付け孔１８ａがそれぞれ形成されている。
同様にして、図５（ｂ）に示すように、第２入出力処理用基板１５の両側には、第２ブラケット１９がブラケット取り付け孔１５ｂを用いて両方の長辺から突出するように固定されている。各第２ブラケット１９には、第２取り付け孔１９ａが形成されている。つまり、第２ブラケット１９は、第２入出力処理用基板１５が第１入出力処理用基板１４に積層するようにして配置されても積層方向の一側である操作パネル４側からみて第１ブラケット１８に重複しない位置に固定されている。
同様にして、図５（ｃ）に示すように、第３入出力処理用基板１６の一側には、ブラケット取り付け孔１６ｃを用いて第３ブラケット２０が固定されている。第３入出力処理用基板１６の他側には、ブラケット取り付け孔１６ａを用いて第３ブラケット２０が固定されている。各第３ブラケット２０には、第３取り付け孔２０ａが形成されている。つまり、第３ブラケット２０は、第３入出力処理用基板１６が第１入出力処理用基板１４と第２入出力処理用基板１５とに積層するようにして配置されても操作パネル４側からみて第１ブラケット１８と第２ブラケット１９とに重複しない位置に固定されている。
これにより、図６に示すように、三枚の入出力処理用基板１３は、積層して配置されても積層方向の一側である操作パネル４側からみてブラケット１８・１９・２０のうち一のブラケットが他のブラケットに隠されることなく視認できるように構成されている。
【００２３】
図４と図７とに示すように、支持部材１７は、長方形状の板状部材が途中部で略直角に屈曲されて形成されている。支持部材１７は、入出力処理用基板１３の一方の短辺側端部であって両方の長辺近傍に長辺と対向するようにして設けられている。支持部材１７は、一方の辺１７ａの板面が入出力処理用基板１３の長辺に対して平行になるようにして他方の辺１７ｂが底面パネル１１に固定されている。つまり、支持部材１７は、一方の辺１７ａが底面パネル１１から略直角に立ち上がるように設けられている。
【００２４】
図７に示すように、支持部材１７の一方の辺１７ａには、途中部が各入出力処理用基板１３の高さにあわせて屈曲された三つの面が形成されている。そして、支持部材１７に形成された各面には、底面パネル１１側から順に第１ネジ孔１７ｃ、第２ネジ孔１７ｄおよび第３ネジ孔１７ｅがそれぞれ形成されている。
第１ネジ孔１７ｃは、第１ブラケット１８を介して第１入出力処理用基板１４を底面パネル１１に対して平行に支持する高さであって、支持部材１７に形成された面において第１ブラケット１８の第１取り付け孔１８ａに重複する位置に形成されている。同様にして、第２ネジ孔１７ｄは、第２ブラケット１９を介して第２入出力処理用基板１５を底面パネル１１に対して平行に支持する高さであって、支持部材１７に形成された面において第２ブラケット１９の第２取り付け孔１９ａに重複する位置に形成されている。同様にして、第３ネジ孔１７ｅは、第３ブラケット２０を介して第３入出力処理用基板１６を底面パネル１１に対して平行に支持する高さであって、支持部材１７に形成された面において第３ブラケット２０の第３ネジ孔１７ｅに重複する位置に形成されている。つまり、入出力処理用基板１３の一側（図４における手前側）に配置されている支持部材１７の各ネジ孔は、入出力処理用基板１３の長辺に沿う方向における位置がそれぞれ異なるように信号用端子９側から第１ネジ孔１７ｃ、第２ネジ孔１７ｄおよび第３ネジ孔１７ｅの順で形成されている。これにより、支持部材１７は、操作パネル４側からみて、第１ネジ孔１７ｃ、第２ネジ孔１７ｄ、第３ネジ孔１７ｅが互いに隠されることなく視認できるように構成されている。
【００２５】
図４と図７とに示すように、入出力処理用基板１３は、第１入出力処理用基板１４、第２入出力処理用基板１５、第３入出力処理用基板１６の順に底面パネル１１側から操作パネル４に向かって積層するように配置されている。第１入出力処理用基板１４は、第１ブラケット１８が締結部材である第１ネジ２１ａによって各支持部材１７の第１ネジ孔１７ｃに固定されている。第１ネジ２１ａは、入出力処理用基板１３の積層方向の一側である操作パネル４側（底面パネル１１の反対側）から第１ネジ孔１７ｃに固定されている。同様にして、第２入出力処理用基板１５は、第２ブラケット１９が第２ネジ２１ｂによって操作パネル４側から各支持部材１７の第２ネジ孔１７ｄに固定され、第３入出力処理用基板１６は、第３ブラケット２０が第３ネジ２１ｃによって操作パネル４側から各支持部材１７の第３ネジ孔１７ｅに固定されている。
【００２６】
図５に示すように、各入出力処理用基板１３は、第１ブラケット１８、第２ブラケット１９および第３ブラケット２０の一方の長辺側における固定位置と他方の長辺側における固定位置とが異なっている。具体的には、各入出力処理用基板１３の一方の長辺側には、背面パネル８側から順に第１ブラケット１８、第２ブラケット１９および第３ブラケット２０が配置されている。各入出力処理用基板１３の他方の長辺側には、背面パネル８側から順に第３ブラケット２０、第２ブラケット１９および第１ブラケット１８が配置されている。従って、図８（ａ）に示す入出力処理用基板１３の一方の長辺側に配置されている支持部材１７は、図８（ｂ）に示す入出力処理用基板１３の他方の長辺側に配置されている支持部材１７を反転させて配置することができる。つまり、図８に示すように、入出力処理用基板１３の両方の長辺側に配置されている支持部材１７は、同一形状の部品から構成することができる。
【００２７】
図６に示すように、基板の取り付け構造は、支持部材１７に入出力処理用基板１３を固定している第１ネジ２１ａ、第２ネジ２１ｂおよび第３ネジ２１ｃが、操作パネル４側からみて入出力処理用基板１３等によって隠されることなく視認できるように構成されている。これにより、各入出力処理用基板１３を固定している第１ネジ２１ａ、第２ネジ２１ｂおよび第３ネジ２１ｃは、工具１００（図１０参照）等によって操作パネル４側から操作することができる。つまり、基板の取り付け構造において、第１ネジ２１ａ、第２ネジ２１ｂおよび第３ネジ２１ｃは、入出力処理用基板１３以外の基板を取り外すことなく工具１００等によって操作可能な位置に設けられていることが必要である。
【００２８】
次に、図９と図１０とを用いて、本発明の第一実施形態に係る基板の取り付け構造について入出力処理用基板１３の着脱の態様を説明する。各入出力処理用基板１３には、対応する第１ブラケット１８、第２ブラケット１９および第３ブラケット２０が予め固定されている。入出力処理用基板１３をミキサー装置１の筐体２に取り付ける場合、各入出力処理用基板１３のうち一の入出力処理用基板１３の一方の短辺側端部が背面パネル８に取り付けられるとともに、他方の短辺側端部が底面２に設けられている支持部材１７に取り付けられる。このような取り付け構造で支持することにより、各入出力処理用基板１３が強固に固定され、振動等による各入出力処理用基板１３の破損を防止することができる。
【００２９】
図９に示すように、第１入出力処理用基板１４を取り付ける場合、第１入出力処理用基板１４は、背面固定用ネジ２２によって信号用端子９を介して背面パネル８に取り付けられる。次に、図１０に示すように、第１入出力処理用基板１４は、第１ブラケット１８の第１取り付け孔１８ａに操作パネル４側から第１ネジ２１ａが挿入される。そして、第１入出力処理用基板１４は、第１ネジ２１ａが支持部材１７の第１ネジ孔１７ｃ（図７参照）に締結されることで支持部材１７に取り付けられる。
同様にして、第２入出力処理用基板１５と第３入出力処理用基板１６とは、背面固定用ネジ２２によって背面パネル８に取り付けられる。そして、第２入出力処理用基板１５は、第２ブラケット１９を介して第２ネジ２１ｂにより支持部材１７に取り付けられる。第３入出力処理用基板１６は、第３ブラケット２０を介して第３ネジ２１ｃにより支持部材１７に取り付けられる。
【００３０】
図１０に示すように、第１入出力処理用基板１４を取り外す場合、第１入出力処理用基板１４は、第１ブラケット１８を支持部材１７に固定している第１ネジ２１ａが取り外される。そして、第１入出力処理用基板１４の各信号用端子９を背面パネル８に固定している背面固定用ネジ２２が取り外される。これにより、第１入出力処理用基板１４は、背面パネル８および支持部材１７から取り外される。
同様にして、第２入出力処理用基板１５と第３入出力処理用基板１６とは、第２ブラケット１９を支持部材１７に固定している第２ネジ２１ｂと第３ブラケット２０を支持部材１７に固定している第３ネジ２１ｃとが取り外される。そして、第２入出力処理用基板１５と第３入出力処理用基板１６とは、信号用端子９を背面パネル８に取り付けている背面固定用ネジ２２が取り外される。これにより、第２入出力処理用基板１５と第３入出力処理用基板１６は、背面パネル８および支持部材１７から取り外される。この際、第１ネジ２１ａ、第２ネジ２１ｂおよび第３ネジ２１ｃは、入出力処理用基板１３の積層方向の一側である操作パネル４側からみて全て視認することができる（図６参照）。従って、各入出力処理用基板１３は、積層される位置や取り外す順番に関わらず支持部材１７に着脱することができる。
【００３１】
このように構成することで、本発明に係る基板の取り付け構造は、第１入出力処理用基板１４、第２入出力処理用基板１５および第３入出力処理用基板１６（入出力処理用基板１３）が積層するようにして配置されていても締結部材である第１ネジ２１ａ、第２ネジ２１ｂ、第３ネジ２１ｃが入出力処理用基板１３等によって隠されることがない。これにより、積層して固定された複数の入出力処理用基板１３のうち任意の入出力処理用基板１３のみを容易に着脱することができる。
【００３２】
＜第二実施形態＞
次に、図１１を用いて、本発明の第二実施形態に係る基板の取り付け構造について説明する。なお、以下の各実施形態に係る基板の取り付け構造は、図１に示すミキサー装置１に設けられる第一実施形態に係る基板の取り付け構造に替えて適用されるものとして、図１から図３、およびその説明で用いた名称、図番、記号を用いることで、同じものを指すこととする。また、以下の実施形態において、既に説明した実施形態と同様の点に関してはその具体的説明を省略し、相違する部分を中心に説明する。
【００３３】
図１１に示すように、各入出力処理用基板１３の他方の短辺側端部は、それぞれの取り付け部である第１取り付け部２３、第２取り付け部２４および第３取り付け部２５を介して支持部材１７に取り付けられている。各入出力処理用基板１３は、同一または異なる機能を有し、各取り付け孔近傍の形状が異なるがその他の部分は略同一形状の基板から構成されている。
【００３４】
具体的な基板の取り付け構造として、図１１（ａ）に示すように、第１入出力処理用基板１４の他方の短辺側端部には、第１入出力処理用基板１４の板面に沿って両方の長辺から突出するように第１取り付け部２３が形成されている。
同様にして、第２入出力処理用基板１５の他方の短辺側端部には、第２取り付け部２４が形成されている。この際、第２取り付け部２４は、第２入出力処理用基板１５が第１入出力処理用基板１４に積層するようにして配置されても操作パネル４側からみて第１取り付け部２３に重複しないように形成されている。
同様にして、第３入出力処理用基板１６の他方の短辺側端部には、第３取り付け部２５が形成されている。この際、第３取り付け部２５は、第３入出力処理用基板１６が第１入出力処理用基板１４と第２入出力処理用基板１５とに積層するようにして配置されても操作パネル４側からみて第１取り付け部２３と第２取り付け部２４とに重複しないように形成されている。これにより、図１１（ｂ）に示すように、三枚の入出力処理用基板１３は、積層して配置されても操作パネル４側からみて第１取り付け部２３、第２取り付け部２４および第３取り付け部２５が互いに隠されることなく視認できる（見える）ように構成されている。また、基板の取り付け構造において、第１ネジ２１ａ、第２ネジ２１ｂおよび第３ネジ２１ｃは、入出力処理用基板１３以外の基板を取り外すことなく工具１００等によって操作可能な位置に設けられていることが必要である。
【００３５】
このように構成することで、基板の取り付け構造は、積層するようにして入出力処理用基板１３が固定されていても第１ネジ２１ａ、第２ネジ２１ｂ、第３ネジ２１ｃが他の入出力処理用基板１３によって隠されることがない。これにより、積層して固定された複数の入出力処理用基板１３のうち任意の入出力処理用基板１３のみを容易に着脱することができる。
【００３６】
＜第三実施形態＞
次に、図１２を用いて、本発明の第三実施形態に係る基板の取り付け構造について説明する。図１２に示すように、各入出力処理用基板１３の他方の短辺側端部は、それぞれの取り付け部を構成する第１拡大取り付け孔２６ａ、第２拡大取り付け孔２６ｂおよび第３拡大取り付け孔２６ｃを介して支持部材１７に取り付けられている。各入出力処理用基板１３は、同一または異なる機能を有し、略同一形状の基板から構成されている。
【００３７】
図１２に示すように、具体的な基板の取り付け構造として、各入出力処理用基板１３の他方の短辺側端部には、長辺に沿うようにして信号用端子９側から順に第１拡大取り付け孔２６ａ、第２拡大取り付け孔２６ｂおよび第３拡大取り付け孔２６ｃが両方の長辺近傍に形成されている。第１拡大取り付け孔２６ａ、第２拡大取り付け孔２６ｂおよび第３拡大取り付け孔２６ｃの直径は、ドライバー等の工具１００の直径よりも大きく、第１ネジ２１ａ、第２ネジ２１ｂおよび第３ネジ２１ｃの頭部の直径未満の大きさに形成されている。第１拡大取り付け孔２６ａ、第２拡大取り付け孔２６ｂおよび第３拡大取り付け孔２６ｃは、各入出力処理用基板１３が積層するようにして配置された場合に操作パネル４側からみて全て重複するように構成される。これにより、三枚の入出力処理用基板１３は、積層して配置されても操作パネル４側からみて第１拡大取り付け孔２６ａ、第２拡大取り付け孔２６ｂおよび第３拡大取り付け孔２６ｃが入出力処理用基板１３に隠されることなく視認できるように構成されている。
【００３８】
また、第１拡大取り付け孔２６ａ、第２拡大取り付け孔２６ｂおよび第３拡大取り付け孔２６ｃは、それぞれ支持部材１７の第１ネジ孔１７ｃ、第２ネジ孔１７ｄおよび第３ネジ孔１７ｅに重複するように形成されている（図７参照）。従って、各入出力処理用基板１３は、第１拡大取り付け孔２６ａ、第２拡大取り付け孔２６ｂまたは第３拡大取り付け孔２６ｃに挿入された第１ネジ２１ａ、第２ネジ２１ｂまたは第３ネジ２１ｃを操作パネル４側から他の入出力処理用基板１３の第１拡大取り付け孔２６ａ、第２拡大取り付け孔２６ｂおよび第３拡大取り付け孔２６ｃに挿入した工具１００によって支持部材１７に着脱可能に構成されている。例えば、第１入出力処理用基板１４の第１拡大取り付け孔２６ａに挿入された第１ネジ２１ａは、工具１００を第２入出力処理用基板１５の第２拡大取り付け孔２６ｂと第３入出力処理用基板１６の第３拡大取り付け孔２６ｃとに挿入することによって操作することができる。また、基板の取り付け構造において、第１ネジ２１ａ、第２ネジ２１ｂおよび第３ネジ２１ｃは、入出力処理用基板１３以外の基板を取り外すことなく工具１００等によって操作可能な位置に設けられていることが必要である。
【００３９】
このように構成することで、基板の取り付け構造は、積層するようにして各入出力処理用基板１３が固定されていても第１ネジ２１ａ、第２ネジ２１ｂ、第３ネジ２１ｃが他の入出力処理用基板１３によって隠されることがない。これにより、積層して固定された複数の入出力処理用基板１３のうち任意の入出力処理用基板１３のみを容易に着脱することができる。
【００４０】
＜第四実施形態＞
次に、図１３を用いて、本発明の第四実施形態に係る基板の取り付け構造について説明する。図１３に示すように、各入出力処理用基板１３の他方の短辺側端部は、それぞれ取り付け部を構成する第１取り付け孔２７ａ、第２取り付け孔２７ｂおよび第３取り付け孔２７ｃを介して支持部材１７に取り付けられている。各入出力処理用基板１３は、同一または異なる機能を有し、各取り付け孔近傍の形状が異なるがその他の部分は略同一形状の基板から構成されている。
【００４１】
具体的な基板の取り付け構造として、第１入出力処理用基板１４の他方の短辺側端部には、両方の長辺近傍に第１取り付け孔２７ａが形成されている。
同様にして、第２入出力処理用基板１５の他方の短辺側端部には、第２取り付け孔２７ｂが形成されている。この際、第２取り付け孔２７ｂは、第２入出力処理用基板１５が第１入出力処理用基板１４に積層するようにして配置されても操作パネル４側からみて第１取り付け孔２７ａに重複しないように形成されている。
同様にして、第３入出力処理用基板１６の他方の短辺側端部には、第３取り付け孔２７ｃが形成されている。この際、第３取り付け孔２７ｃは、第３入出力処理用基板１６が第１入出力処理用基板１４と第２入出力処理用基板１５とに積層するようにして配置されても操作パネル４側からみて第１取り付け孔２７ａと第２取り付け孔２７ｂとに重複しないように形成されている。
また、第２入出力処理用基板１５には、第１取り付け孔２７ａに第２入出力処理用基板１５が重複しないように切り欠き２８ｂが形成されている。同様にして、第３入出力処理用基板１６には、第１取り付け孔２７ａと第２取り付け孔２７ｂとに第３入出力処理用基板１６が重複しないように切り欠き２８ｃが形成されている。これにより、三枚の入出力処理用基板１３は、積層して配置されても操作パネル４側からみて第１取り付け孔２７ａ、第２取り付け孔２７ｂおよび第３取り付け孔２７ｃが他の入出力処理用基板１３に隠されることなく視認できるように構成されている。また、基板の取り付け構造において、第１ネジ２１ａ、第２ネジ２１ｂおよび第３ネジ２１ｃは、入出力処理用基板１３以外の基板を取り外すことなく工具１００等によって操作可能な位置に設けられていることが必要である。
【００４２】
このように構成することで、基板の取り付け構造は、積層するようにして入出力処理用基板１３が固定されていても第１ネジ２１ａ、第２ネジ２１ｂ、第３ネジ２１ｃが他の入出力処理用基板１３によって隠されることがない。これにより、積層して固定された複数の入出力処理用基板１３のうち任意の入出力処理用基板１３のみを容易に着脱することができる。
【００４３】
＜他の実施形態＞
なお、本発明に係る基板の取り付け構造は、ミキサー装置１に適用した実施形態として説明したがこれに限定されるものではなく、基板を積層させて取り付ける電子機器等であればよい。また、締結部材をネジとして説明したがこれに限定されるものではなく、基板を支持部材１７に締結できるものであればよい。また、各支持部材１７は、入出力処理用基板１３の両方の長辺に対向するようにして配置されているものとしたがこれに限定されるものではなく、入出力処理用基板１３の短辺に対向するようにして配置してもよい。
【００４４】
また、図１４に示すように、第一実施形態に係る基板の取り付け構造において、最も操作パネル４側の第３入出力処理用基板１６は、第３取り付けブラケット２０を介して支持部材１７に固定されているものとしたがこれに限定されるものではなく、支持部材１７の第３ネジ孔１７ｅが第３入出力処理用基板１６のブラケット取り付け孔に重複するように形成した支持部材１７Ａを用いてもよい。支持部材１７Ａを用いることで、第３入出力処理用基板１６は、第１ブラケット１８を介さずに支持部材１７Ａに直接固定される。同様に、第二実施形態に係る基板の取り付け構造において、最も操作パネル４側の第３入出力処理用基板１６は、第３取り付け部２５を突出させず、支持部材１７Ａを用いてもよい。
また、図１５に示すように、各入出力処理用基板１３は、両方の長辺を支持部材１７に固定されたものとして説明したがこれに限定されるものではなく、入出力処理用基板１３の一方の長辺を支持部材２９の溝２９ａ・２９ｂ・２９ｃにはめ込んで支持し、他方の長辺のみを支持部材１７に固定してもよい。なお、図１４と図１５に示す各入出力処理用基板１３は、同一または異なる機能を有し、略同一形状の基板から構成されている。
【符号の説明】
【００４５】
４  操作パネル、１４  第１入出力処理用基板、１５  第２入出力処理用基板、１６  第３入出力処理用基板、１７  支持部材、２１ａ  第１ネジ、２１ｂ  第２ネジ、２１ｃ  第３ネジ
【図１】
2015170777.tif 000003
【図２】
2015170777.tif 000004
【図３】
2015170777.tif 000005
【図４】
2015170777.tif 000006
【図５】
2015170777.tif 000007
【図６】
2015170777.tif 000008
【図７】
2015170777.tif 000009
【図８】
2015170777.tif 000010
【図９】
2015170777.tif 000011
【図１０】
2015170777.tif 000012
【図１１】
2015170777.tif 000013
【図１２】
2015170777.tif 000014
【図１３】
2015170777.tif 000015
【図１４】
2015170777.tif 000016
【図１５】
2015170777.tif 000017